(57)【特許請求の範囲】
【請求項１】
複数の電磁弁を取り付けるための集合配線をした電磁弁マニホールドであって、前記マニホールドの各コネクタは、２個の信号端子とプラスコモン端子とマイナスコモン端子とを有する４極構造として前記集合配線を施し、前記コネクタを介して取り付ける各電磁弁は、前記コネクタの２個の信号端子に接続する２個の信号端子と前記コネクタのプラスコモン端子又はマイナスコモン端子の何れかに接続するコモン端子とを有する３極構造のソケットを備えたことを特徴とする電磁弁マニホールド。
【発明の詳細な説明】
【０００１】
【発明の属する技術分野】
本発明は、複数の電磁弁を集合配線した電磁弁マニホールドに関するものである。
【０００２】
【従来の技術】
従来、電磁弁マニホールドでは複数の電磁弁の電気配線処理を簡素化するために、電磁弁への給電をマニホールド側のコネクタを使用して一括配線処理する集合配線方式が採用されている。このような集合配線方式では、マニホールドに電磁弁を搭載するだけで配線処理が完了するプラグインタイプの電磁弁が使用されるのが一般的である。
【０００３】
例えば、実公平７−２２５４１号公報には、２個の信号端子と互いに電磁弁内で電気的に接続された２個のコモン端子とを備えた４極ソケットを有する電磁弁において、コネクタをマニホールドブロックに取り付けると共に、ソケットを電磁弁のマニホールドブロックに設置したときにコネクタと対向する位置に設け、電磁弁のマニホールドブロックへの設置によってソケットとコネクタを接続する電磁弁の給電装置が開示されている。
【０００４】
このような集合配線方式では、ダブルソレノイド形電磁弁の２個のソレノイドのコモン処理は電磁弁内で行うことにより、２個の信号端子と１個のコモン端子とを備えたソケットとするのが一般的である。上述の従来例は４極ではあるが、２個のコモン端子は電磁弁内で互いに電気的に接続されており、実質的には同様に３極である。また、各電磁弁のコモン処理はマニホールド内で行うのが一般的である。
【０００５】
【発明が解決しようとする課題】
上述の従来例において、例えば直流電磁弁を使用してトランジスタ制御を行う場合には、制御回路中に使用されるダイオードやトランジスタ等の電子部品は出力方式によってその向きが逆になるので、コモン線はプラスコモン仕様の場合とマイナスコモン仕様の場合が存在する。
【０００６】
プラスコモン端子、マイナスコモン端子が共通の集合配線コネクタの配線仕様においては、使用時にプラス・マイナスを誤って接続してしまった場合には作動不良、電磁弁の破損につながるため、図３に示すように、プラスコモン仕様の電磁弁に対してはプラスコモン端子に、また図４に示すように、マイナスコモン仕様の電磁弁に対してはマイナスコモン端子に接続するような配線仕様とすることが多い。
【０００７】
しかし、この場合にプラスコモン仕様の電磁弁、マイナスコモン仕様の電磁弁を搭載する際には、マニホールド側もそれぞれプラスコモン仕様専用のものと、マイナスコモン仕様専用のものとを使い分けしなければならないという問題点がある。
【０００８】
本発明の目的は、上述の問題点を解消し、コモン仕様を共用可能にして複数の電磁弁を集合配線した電磁弁マニホールドを提供することにある。
【０００９】
【課題を解決するための手段】
上記目的を達成するための本発明に係る電磁弁マニホールドは、複数の電磁弁を取り付けるための集合配線をした電磁弁マニホールドであって、前記マニホールドの各コネクタは、２個の信号端子とプラスコモン端子とマイナスコモン端子とを有する４極構造として前記集合配線を施し、前記コネクタを介して取り付ける各電磁弁は、前記コネクタの２個の信号端子に接続する２個の信号端子と前記コネクタのプラスコモン端子又はマイナスコモン端子の何れかに接続するコモン端子とを有する３極構造のソケットを備えたことを特徴とする。
【００１０】
【発明の実施の形態】
本発明を図１、図２に図示の実施例に基づいて詳細に説明する。
図１はプラスコモン仕様の電磁弁とマニホールドとの結線図を示し、複数の電磁弁１、２、３、・・・には、それぞれ２個の信号端子（１ａ、１ｂ）、（２ａ、２ｂ）、（３ａ、３ｂ）、・・・と１個のコモン端子１ｄ、２ｄ、３ｄ、・・・を有するソケットが設けられている。一方、マニホールドＭには、２個の信号端子（１ａ’、１ｂ’）、（２ａ’、２ｂ’）、（３ａ’、３ｂ’）、・・・と２個のコモン端子（１ｃ’、１ｄ’）、（２ｃ’、２ｄ’）（３ｃ’、３ｄ’）、・・・とを有するコネクタが配置されている。
【００１１】
そして、コネクタの信号端子（１ａ’、１ｂ’）、（２ａ’、２ｂ’）、（３ａ’、３ｂ’）、・・・は、それぞれＤ−ｓｕｂコネクタやＭＩＬコネクタ等の出力端子１ａ”、１ｂ”、２ａ”、２ｂ”、３ａ”、３ｂ”、・・・に接続され、コネクタのコモン端子１ｃ’、２ｃ’、３ｃ’、・・・は順次に結線されて、１個の出力端子−Ｃに接続され、コモン端子１ｄ’、２ｄ’、３ｄ’、・・・は同様に順次に結線されて、集合配線コネクタ４の出力端子＋Ｃに接続されている。
【００１２】
図１の場合には、電磁弁１、２、３、・・・のソケットのプラスコモン端子１ｄ、２ｄ、３ｄ、・・・は、マニホールドＭのコネクタのプラスコモン端子１ｄ’、２ｄ’、３ｄ’、・・・を介して出力端子＋Ｃに接続されている。
【００１３】
図２はマイナスコモン仕様の電磁弁とマニホールドとの結線図を示し、同様に電磁弁のソケットのマイナスコモン端子１ｃ、２ｃ、３ｃ、・・・は、マニホールドＭのコネクタのマイナスコモン端子１ｃ’、２ｃ’、３ｃ’、・・・を介して、集合配線コネクタ４の出力端子−Ｃに接続されている。
【００１４】
このように、電磁弁１、２、３、・・・のソレノイドと接続するマニホールドＭのソケットを４極とし、その内の２極をプラスコモン用及びマイナスコモン用の出力端子とし、他の２極をダブルソレノイド形電磁弁の２個のソレノイドの各信号を送るための端子とすることにより、プラスコモン仕様の電磁弁でもマイナスコモン仕様の電磁弁でも、同一のマニホールドＭを使用して集合配線することが可能となるので、集合配線が簡素化されて電磁弁マニホールドとしての応用範囲が拡大する。
【００１５】
【発明の効果】
以上説明したように本発明に係る電磁弁マニホールドは、電磁弁のソレノイドに接続する４極コネクタの内の２極をプラスコモン端子及びマイナスコモン端子として配線することにより、プラスコモン端子を有する電磁弁にもマイナスコモン端子を有する電磁弁にも共用可能なマニホールドとすることができ、電磁弁を変更して搭載するだけで簡単にコモン仕様を変更することができるので、集合配線が簡素化される。
【図面の簡単な説明】
【図１】プラスコモン仕様の電磁弁マニホールドの結線図である。
【図２】マイナスコモン仕様の電磁弁マニホールドの結線図である。
【図３】従来のプラスコモン仕様の電磁弁マニホールドの結線図である。
【図４】従来のマイナスコモン仕様の電磁弁マニホールドの結線図である。
【符号の説明】
１、２、３、、・・・    電磁弁
１ａ、１ｂ、２ａ、２ｂ、、・・・    ソケットの信号端子
１ｃ、１ｄ、２ｃ、２ｄ、、・・・    ソケットのコモン端子
１ａ’、１ｂ’、２ａ’、２ｂ’、、・・・    コネクタの信号端子
１ｃ’、１ｄ’、２ｃ’、２ｄ’、、・・・  コネクタのコモン端子
４  集合配線コネクタ
Ｍ      マニホールド
＋Ｃ    プラスコモン出力端子
−Ｃ    マイナスコモン出力端子
【図１】
0003637129.tif 000002
【図２】
0003637129.tif 000003
【図３】
0003637129.tif 000004
【図４】
0003637129.tif 000005